(57)【要約】【課題】  中継局装置において混信障害等による異常を検出し、出力の抑制または出力系統の切替を容易に行う。【解決手段】  親局装置Ａ１から送出される放送電波を中継局装置Ｂにより中継伝送する場合に、親局装置Ａ１は、放送電波に放送局（親局）ＩＤを付加して送出する。これに対し、中継局装置Ｂは、放送電波を受信して放送電波に付加される放送局ＩＤを取得し、予め設定される放送局ＩＤと照合し、その照合結果が不一致の場合に中継送信を停止するように制御する。【選択図】      図１
2008124934.tif 000002
【特許請求の範囲】
【請求項１】
親局装置から送出される放送電波を中継局装置により中継伝送する地上デジタル放送システムにおいて、
前記親局装置は、前記放送電波に親局識別情報を付加して送出し、
前記中継局装置は、前記放送電波を受信して前記放送電波に付加される親局識別情報を取得し、予め設定される親局識別情報を格納し、前記親局識別情報が取得されたとき、前記格納されている親局識別情報と照合し、その照合結果に基づいて中継処理を制御することを特徴とする地上デジタル放送システム。
【請求項２】
親局装置から送出される放送電波を中継局装置により中継伝送する地上デジタル放送システムにおいて、
前記親局装置は、前記放送電波に中継ルート中の中継装置識別情報が示される中継装置リスト情報を付加して送出し、
前記中継局装置は、前記放送電波を受信して前記親局装置にて前記放送電波に付加される中継装置リスト情報を取得し、予め個別に与えられる中継装置識別情報を格納し、前記中継装置リスト情報が取得されたとき、前記格納されている中継装置識別情報が含まれるか否かを判断し、その判断結果に基づいて中継処理を制御することを特徴とする地上デジタル放送システム。
【請求項３】
地上デジタル放送システムに用いられ、親局装置からの放送電波を中継伝送する地上デジタル放送用中継局装置において、
前記放送電波を受信して前記親局装置にて前記放送電波に付加される親局識別情報を取得する取得手段と、
予め設定される親局識別情報を格納する格納手段と、
前記取得手段で親局識別情報が取得されたとき、前記格納手段に格納されている親局識別情報と照合する照合手段と、
前記照合手段の照合結果に基づいて中継処理を制御する制御手段と
を具備することを特徴とする地上デジタル放送用中継局装置。
【請求項４】
前記地上デジタル放送システムは、ＩＳＤＢ−Ｔ（Integrated Services Digital Broadcasting for Terrestrial：地上デジタル放送）方式によるシステムであり、前記親局識別情報が、放送ＴＳ（Transport Stream：伝送ストリーム）に含まれるＮＩＴ（Network Information Table：ネットワーク情報管理テーブル）パケットにネットワーク識別情報として記述されているとき、前記取得手段は前記放送ＴＳの復号時に前記ＮＩＴパケットに記述されるネットワーク識別情報から前記親局識別情報を読み出すことを特徴とする請求項３記載の地上デジタル放送用中継局装置。
【請求項５】
前記制御手段は、前記照合結果に基づいて前記放送電波の中継出力を制限することを特徴とする請求項３記載の地上デジタル放送用中継局装置。
【請求項６】
前記中継処理の系統を複数備え、前記制御手段は、前記照合結果に基づいて前記処理系統を選択的に切り替えることを特徴とする請求項３記載の地上デジタル放送用中継局装置。
【請求項７】
地上デジタル放送システムに用いられ、親局装置からの放送電波を中継伝送する地上デジタル放送用中継局装置において、
前記放送電波を受信し、前記親局装置にて前記放送電波に付加され、中継ルート中の中継局識別情報が示される中継局リスト情報を取得する取得手段と、
予め個別に与えられる中継局識別情報を格納する格納手段と、
前記取得手段で中継局リスト情報が取得されたとき、前記格納手段に格納されている中継局識別情報が含まれるか否かを判断する判断手段と、
前記判断手段の判断結果に基づいて中継処理を制御する制御手段と
を具備することを特徴とする地上デジタル放送用中継局装置。
【請求項８】
前記地上デジタル放送システムは、ＩＳＤＢ−Ｔ（Integrated Services Digital Broadcasting for Terrestrial：地上デジタル放送）方式によるシステムであり、前記中継局リスト情報が、放送ＴＳ（Transport Stream：伝送ストリーム）におけるＩＩＰ（ISDB-T Information Packet）のＮＳＩ（Network Service Information：ネットワークサービス情報）に、equipment_id（装置識別情報）として記述され、その放送ＴＳがＯＦＤＭ（Orthogonal Frequency Division Multiplex：直交周波数分割多重）信号に変換される際に、前記ＮＳＩがＡＣ（Orthogonal Frequency Division Multiplex - Auxiliary Carrier：直交周波数分割多重信号の予備キャリア）領域に乗せられているとき、前記取得手段は、前記ＯＦＤＭ信号の復号時に前記ＡＣ領域に記述されるequipment_idから前記中継局リスト情報を読み出すことを特徴とする請求項７記載の地上デジタル放送用中継局装置。
【請求項９】
前記制御手段は、前記判断結果に基づいて前記放送電波の中継出力を制限することを特徴とする請求項８記載の地上デジタル放送用中継局装置。
【請求項１０】
前記中継処理の系統を複数備え、前記制御手段は、前記判断結果に基づいて前記処理系統を選択的に切り替えることを特徴とする請求項７記載の地上デジタル放送用中継局装置。
【請求項１１】
親局装置から送出される放送電波を中継局装置により中継伝送する地上デジタル放送システムに用いられ、
前記親局装置にて、前記放送電波に親局識別情報を付加して送出し、
前記中継局装置にて、前記放送電波を受信して前記放送電波に付加される親局識別情報を取得し、予め設定される親局識別情報を格納しておき、前記親局識別情報が取得されたとき、前記格納されている親局識別情報と照合し、その照合結果に基づいて中継処理を制御することを特徴とする地上デジタル放送システムの中継局装置制御方法。
【請求項１２】
親局装置から送出される放送電波を中継局装置により中継伝送する地上デジタル放送システムに用いられ、
前記親局装置にて、前記放送電波に中継ルート中の中継局識別情報が示される中継局リスト情報を付加して送出し、
前記中継局装置にて、前記放送電波を受信して前記親局装置にて前記放送電波に付加される中継局リスト情報を取得し、予め個別に与えられる中継局識別情報を格納し、前記中継局リスト情報が取得されたとき、前記格納されている中継局識別情報が含まれるか否かを判断し、その判断結果に基づいて中継処理を制御することを特徴とする地上デジタル放送システムの中継局装置制御方法。
【発明の詳細な説明】
【技術分野】
【０００１】
本発明は、地上デジタルテレビジョン放送の放送電波を複数の中継局装置によって中継伝送する地上デジタル放送システムに関する。
【背景技術】
【０００２】
近年、急速に普及されつつある地上デジタル放送では、電波の不感帯を極力少なくするため、親局からの放送電波を多数の中継局装置で中継伝送する方式が採用されている。個々の中継局装置は、サービスエリアの広さに合わせて送出電力が設定されている。ところが、気象やビル建設、山の切り崩し等により電波環境が変化すると、電波が予想以上に飛んでしまい、混信障害を生じてしまうケースが発生する。このような事態が生じた場合に、多数の中継局装置の中から障害が生じた中継局装置を発見し、出力の抑制または出力系統の切替を行うことは極めて困難な作業となるため、大きな問題となっている。
【０００３】
尚、本発明で適用されるＩＳＤＢ−Ｔ放送ＴＳの伝送フォーマットについては非特許文献１に記載されている。また、本発明に関連する技術として、地上デジタル放送システムにおいて、ＯＦＤＭ−ＡＣ領域に送信制御情報を重畳して伝送することが非特許文献２に記載されている。
【非特許文献１】ARIB（Association of Radio Industries and Businesses：電波産業会）B10
【非特許文献２】ITE Technical Report Vol.28, No.22, PP.1〜4 BCT2004-66(Mar.2004)  社団法人映像情報メディア学会技術報告「ＯＦＤＭ−ＡＣ領域に送信制御情報を重畳した信号を用いるＳＦＮ同期に関する一検討」
【発明の開示】
【発明が解決しようとする課題】
【０００４】
以上述べたように、従来のデジタル放送システムでは、混信障害を生じた場合に、多数の中継局装置の中から障害が生じた中継局装置を発見し、出力の抑制または出力系統の切替を行うことは極めて困難であった。
【０００５】
本発明は上記の課題を解決すべく、中継局装置において混信障害等による異常を検出し、出力の抑制または出力系統の切替を容易に行うことのできる地上デジタル放送システム、地上デジタル放送用中継局装置及び中継局装置制御方法を提供することを目的とする。
【課題を解決するための手段】
【０００６】
上記問題を解決するために、本発明に係る地上デジタル放送システムは、以下の構成によることを特徴とする。
【０００７】
（１）親局装置から送出される放送電波を中継局装置により中継伝送する地上デジタル放送システムにおいて、前記親局装置は、前記放送電波に親局識別情報を付加して送出し、前記中継局装置は、前記放送電波を受信して前記放送電波に付加される親局識別情報を取得し、予め設定される親局識別情報を格納し、前記親局識別情報が取得されたとき、前記格納されている親局識別情報と照合し、その照合結果に基づいて中継処理を制御することを特徴とする。
【０００８】
（２）親局装置から送出される放送電波を中継局装置により中継伝送する地上デジタル放送システムにおいて、前記親局装置は、前記放送電波に中継ルート中の中継局識別情報が示される中継局リスト情報を付加して送出し、前記中継局装置は、前記放送電波を受信して前記親局装置にて前記放送電波に付加される中継局リスト情報を取得し、予め個別に与えられる中継局識別情報を格納し、前記中継局リスト情報が取得されたとき、前記格納されている中継局識別情報が含まれるか否かを判断し、その判断結果に基づいて中継処理を制御することを特徴とする。
【０００９】
また、本発明に係るデジタル放送用中継局装置は、以下の構成によることを特徴とする。
【００１０】
（３）地上デジタル放送システムに用いられ、親局装置からの放送電波を中継伝送する地上デジタル放送用中継局装置において、前記放送電波を受信して前記親局装置にて前記放送電波に付加される親局識別情報を取得する取得手段と、予め設定される親局識別情報を格納する格納手段と、前記取得手段で親局識別情報が取得されたとき、前記格納手段に格納されている親局識別情報と照合する照合手段と、前記照合手段の照合結果に基づいて中継処理を制御する制御手段とを具備することを特徴とする。
【００１１】
（４）（３）の構成において、前記地上デジタル放送システムは、ＩＳＤＢ−Ｔ（Integrated Services Digital Broadcasting for Terrestrial：地上デジタル放送）方式によるシステムであり、前記親局識別情報が、放送ＴＳ（Transport Stream：伝送ストリーム）に含まれるＮＩＴ（Network Information Table：ネットワーク情報管理テーブル）パケットにネットワーク識別情報として記述されているとき、前記取得手段は前記放送ＴＳの復号時に前記ＮＩＴパケットに記述されるネットワーク識別情報から前記親局識別情報を読み出すことを特徴とする。
【００１２】
（５）（３）の構成において、前記制御手段は照合結果に基づいて前記放送電波の中継出力を制限することを特徴とする。
【００１３】
（６）（３）の構成において、前記中継処理の系統を複数備え、前記制御手段は、前記照合結果に基づいて前記処理系統を選択的に切り替えることを特徴とする。
【００１４】
（７）地上デジタル放送システムに用いられ、親局装置からの放送電波を中継伝送する地上デジタル放送用中継局装置において、前記放送電波を受信し、前記親局装置にて前記放送電波に付加され、中継ルート中の中継局識別情報が示される中継局リスト情報を取得する取得手段と、予め個別に与えられる中継局識別情報を格納する格納手段と、前記取得手段で中継局リスト情報が取得されたとき、前記格納手段に格納されている中継局識別情報が含まれるか否かを判断する判断手段と、前記判断手段の判断結果に基づいて中継処理を制御する制御手段とを具備することを特徴とする。
【００１５】
（８）（７）の構成において、前記地上デジタル放送システムは、ＩＳＤＢ−Ｔ（Integrated Services Digital Broadcasting for Terrestrial：地上デジタル放送）方式によるシステムであり、前記中継局リスト情報が、放送ＴＳ（Transport Stream：伝送ストリーム）におけるＩＩＰ（ISDB-T Information Packet）のＮＳＩ（Network Service Information：ネットワークサービス情報）に、equipment_id（装置識別情報）として記述され、その放送ＴＳがＯＦＤＭ（Orthogonal Frequency Division Multiplex：直交周波数分割多重）信号に変換される際に、前記ＮＳＩがＡＣ（Orthogonal Frequency Division Multiplex - Auxiliary Carrier：直交周波数分割多重信号の予備キャリア）領域に乗せられているとき、前記取得手段は、前記ＯＦＤＭ信号の復号時に前記ＡＣ領域に記述されるequipment_idから前記中継局リスト情報を読み出すことを特徴とする。
【００１６】
（９）（７）の構成において、前記制御手段は、前記判断結果に基づいて前記放送電波の中継出力を制限することを特徴とする。
【００１７】
（１０）（７）の構成において、前記中継処理の系統を複数備え、前記制御手段は、前記判断結果に基づいて前記処理系統を選択的に切り替えることを特徴とする。
【００１８】
また、本発明に係るデジタル放送システムに用いられる中継局装置制御方法は、以下の構成によることを特徴とする。
【００１９】
（１１）親局装置から送出される放送電波を中継局装置により中継伝送する地上デジタル放送システムに用いられる中継局装置制御方法において、前記親局装置にて、前記放送電波に親局識別情報を付加して送出し、前記中継局装置にて、前記放送電波を受信して前記放送電波に付加される親局識別情報を取得し、予め設定される親局識別情報を格納しておき、前記親局識別情報が取得されたとき、前記格納されている親局識別情報と照合し、その照合結果に基づいて中継処理を制御する。
【００２０】
（１２）親局装置から送出される放送電波を中継局装置により中継伝送する地上デジタル放送システムに用いられる中継局装置制御方法において、前記親局装置にて、前記放送電波に中継ルート中の中継局識別情報が示される中継局リスト情報を付加して送出し、前記中継局装置にて、前記放送電波を受信して前記親局装置にて前記放送電波に付加される中継局リスト情報を取得し、予め個別に与えられる中継局識別情報を格納し、前記中継局リスト情報が取得されたとき、前記格納されている中継局識別情報が含まれるか否かを判断し、その判断結果に基づいて中継処理を制御することを特徴とする。
【発明の効果】
【００２１】
本発明によれば、中継局装置において親局識別情報を予め格納された親局識別情報と比較照合する、あるいは中継局リスト情報を予め格納された中継局識別情報と比較してその有無を判別することで混信障害等による異常を検出し、出力の抑制または出力系統の切替を容易に行うことのできる地上デジタル放送システム、地上デジタル放送用中継局装置及び中継局装置制御方法を提供することができる。
【発明を実施するための最良の形態】
【００２２】
以下、図面を参照して本発明の実施の形態を詳細に説明する。
【００２３】
図１は本発明に係るＩＳＤＢ−Ｔ（Integrated Services Digital Broadcasting for Terrestrial：地上デジタル放送）方式によるデジタル放送システムの一実施形態を示すブロック図である。図１に示す親局（放送局）装置Ａ１において、送信アンテナＡ２から送出される地上デジタル放送波（ＯＦＤＭ信号）は、中継局装置Ｂに到達して受信アンテナＢ１で捕捉されると、その受信信号はヘッドアンプ（ＨＡ）Ｂ２で低雑音増幅され、基本装置Ｂ３で伝送損失等の補償処理が施された後、電力増幅器Ｂ４で電力増幅されて送信アンテナＢ５から再送出される。上記構成による中継局装置Ｂにおいて、信号検知装置Ｂ６は、受信アンテナＢ１の受信ＲＦ信号を取り込み、図２または図３に示す処理を行う。尚、図１に示す実施形態では信号検知装置Ｂ６の入力は、受信アンテナＢ１の受信ＲＦ信号としたが、基本装置Ｂ３から出力される再送ＲＦ信号であってもよい。
【００２４】
図２において、受信ＲＦ信号は周波数変換部Ｂ６１でＩＦまたはベースバンド信号に変換された後、ＡＤ変換部Ｂ６２でデジタル信号に変換され、高速フーリエ変換部（ＦＦＴ）Ｂ６３で周波数軸上のデータに戻され、誤り訂正部Ｂ６４で誤り訂正を施されて放送ＴＳが得られる。この放送ＴＳはＮＩＴ検出部Ｂ６５に送られる。
【００２５】
このＮＩＴ検出部Ｂ６５は、放送ＴＳに含まれるＮＩＴパケットを検出するもので、検出されたＮＩＴパケットは放送局ＩＤ検出部Ｂ６６に送られる。この放送局ＩＤ検出部Ｂ６６は、ＮＩＴパケットにネットワーク識別情報として記述されている放送局（親局）ＩＤを検出するもので、検出された放送局ＩＤは判定部Ｂ６７に送られる。この判定部Ｂ６７は、予め放送局ＩＤ設定部Ｂ６８に設定される放送局ＩＤと上記のように検出された放送局ＩＤとを照合し、両者の一致／不一致を判定して、その判定結果を電力増幅器Ｂ４に通知する。電力増幅器Ｂ４は、その判定結果が不一致を示すとき、異常と判断して中継送信の出力を停止する。
【００２６】
すなわち、図２に示す実施例では、放送ＴＳのＮＩＴパケットにネットワーク識別情報として記述されている放送局ＩＤ（非特許文献１参照）を検出し、予め設定されている放送局ＩＤと照合し、一致している場合には正常ルートの信号を受信していると判定し、再送出力を継続する。照合結果が不一致の場合には、受信電波が混信し、他のルートの信号を受信していると判定し、再送出力を停止する。
【００２７】
一方、図３において、受信ＲＦ信号は周波数変換部Ｂ６１でＩＦまたはベースバンド信号に変換された後、ＡＤ変換部Ｂ６２でデジタル信号に変換され、高速フーリエ変換部（ＦＦＴ）Ｂ６３で周波数軸上のデータに戻されてＡＣ検出部Ｂ６９に送られる。このＡＣ検出部Ｂ６９は、周波数軸上のデータからＡＣ領域のデータを検出するもので、検出されたＡＣ領域のデータは中継局ＩＤ検出部Ｂ６１０に送られる。この中継局ＩＤ検出部Ｂ６１０は、ＡＣ領域データからＮＳＩ情報にequipment_id（装置識別情報）として記述されている中継局ＩＤのリスト情報を検出するもので、検出された中継局ＩＤリスト情報は判定部Ｂ６１１に送られる。この判定部Ｂ６１１は、予め中継局ＩＤ設定部Ｂ６１２に設定される中継局ＩＤと上記のように検出された中継局ＩＤリスト情報とを比較し、設定中継局ＩＤがリスト中に含まれているか否かを判定して、その判定結果を電力増幅器Ｂ４に通知する。電力増幅器Ｂ４は、その判定結果が否であるとき、異常と判断して中継送信の出力を停止する。
【００２８】
すなわち、図３に示す実施例では、中継局リスト情報が、放送ＴＳ（Transport Stream：伝送ストリーム）におけるＩＩＰ（ISDB-T Information Packet）のＮＳＩ（Network Service Information：ネットワークサービス情報）に、equipment_id（装置識別情報）として記述され、上位局に配置されたＮＳＩ−ＡＣ装置等（非特許文献２参照）により、その放送ＴＳがＯＦＤＭ信号に変換される際に、ＮＳＩがＡＣ領域に乗せられているとき、ＡＣ検出部Ｂ６９でＡＣ領域のデータを検出し、中継局ＩＤ検出部Ｂ６１０でＡＣ領域に記述されるequipment_idから前記中継局リスト情報を読み出して、判定部Ｂ６１１で自装置に割り当てられた中継局ＩＤがリスト中に存在するか判定し、存在している場合には正常ルートの信号を受信していると判定し、再送出力を継続する。存在していない場合には、受信電波が混信し、他のルートの信号を受信していると判定し、再送出力を停止する。
【００２９】
したがって、上記実施形態によれば、図１に示すシステムにおいて、図２又は図３に示す信号検知処理を行うことにより、中継局装置Ｂが自立的に混信障害を検出し、その検出時に出力停止を行うことができる。
【００３０】
図４は、上記実施形態の応用として、中継局装置Ｂが空間ダイバーシチ構成の１系と２系を備える場合に本発明を適用した場合の構成を示すブロック図である。尚、図４において、図１と同一部分には同一符号を付して示し、ここでは異なる部分について説明する。
【００３１】
図４において、中継局装置Ｂは１系及び２系を備え、いずれも図１に示す中継局装置と同様に構成される。具体的に説明すると、１系はヘッドアンプ（ＨＡ）Ｂ２１、基本装置Ｂ３１、電力増幅器Ｂ４１、信号検知装置Ｂ６１、レベル検知装置Ｂ８１を備える。２系はヘッドアンプ（ＨＡ）Ｂ２２、基本装置Ｂ３２、電力増幅器Ｂ４２、信号検知装置Ｂ６２、レベル検知装置Ｂ８２を備える。各系統の信号検知装置Ｂ６１，Ｂ６２の検知結果は制御部Ｂ９に送られ、レベル検知装置Ｂ８１，Ｂ８２のレベル検知結果も制御部Ｂ９に送られる。上記制御部Ｂ９は、信号検知結果、レベル検知結果に基づいてステータス信号、アラーム信号を出力し、異常が検出された場合には、出力切替信号を切替装置Ｂ７に送り、正常な系を送信アンテナＢ５に接続し、異常が検出された系をダミー装置Ｂ１０に接続する。尚、制御部Ｂ９の制御は、外部制御信号によっても行われるものとする。
【００３２】
上記構成において、図５に示すフローチャートを参照してその処理動作を説明する。
【００３３】
まず、１系信号検知装置Ｂ６１の出力、２系信号検知装置Ｂ６２の出力、１系レベル検知装置Ｂ８１の出力、２系レベル検知装置Ｂ８２の出力をそれぞれ入力し（ステップＳ１１〜Ｓ１４、それぞれの検知出力から異常の有無を判定する（ステップＳ１５〜Ｓ１８）。
【００３４】
ステップＳ１５において、１系信号検知装置Ｂ６１の出力から異常が検知された場合にはsig1=1をセットし（ステップＳ１５１）、異常が検知されなかった場合にはsig1=0をセットする（ステップＳ１５２）。ステップＳ１６において、２系信号検知装置Ｂ６２の出力から異常が検知された場合にはsig2=1をセットし（ステップＳ１６１）、異常が検知されなかった場合にはsig2=0をセットする（ステップＳ１６２）。ステップＳ１７において、レベル検知装置Ｂ８１の出力から異常が検知された場合にはrev1=1をセットし（ステップＳ１７１）、異常が検知されなかった場合にはrev1=0をセットする（ステップＳ１７２）。ステップＳ１８において、レベル検知装置Ｂ８２の出力から異常が検知された場合にはrev2=1をセットし（ステップＳ１８１）、異常が検知されなかった場合にはrev2=0をセットする（ステップＳ１８２）。
【００３５】
上記判定後、sig1, sig2, rev1, rev2のいずれかが「１」であるかを判定し（ステップＳ１９）、いずれも「１」でなければ初期ステップに戻る。ステップＳ１９で「１」があると判定された場合には、異常検知と判断し、アラーム出力、正常復帰のステータス、出力切替の制御信号を出力することで、図５に示す状態遷移処理を行う（ステップＳ２０）。また、ステップＳ２０では、外部制御信号にも従うものとする。
【００３６】
図５は上記ステップＳ２０の処理に基づく状態遷移の概要を示す図である。
【００３７】
ステータス(a)の出力停止状態から説明する。ステータス(a)は１系２系とも正常であり出力停止である。外部制御(2)により１系出力が指示されると、ステータス(b)に移り、１系を出力する。外部制御(2)により２系出力が指示されると、ステータス(c)に移り、２系を出力する。ステータス(b)、(c)の状態で１系の信号検知が異常を検出(1)すると、ステータス(e)に移って、アラーム（１系異常）を出力して、制御は２系を出力する。ステータス(b)、(c)の状態で２系の信号検知が異常を検出(1)すると、ステータス(d)に移って、アラーム（２系異常）を出力して、制御は１系を出力する。
【００３８】
ステータス(b)、(c)の状態で１系と２系の信号検知が異常を検出(1)すると、ステータス(h)に移って、アラーム（１系・２系異常）を出力して、制御は出力を停止する。ステータス(e)の状態で、２系の信号検知が異常を検出(1)すると、ステータス(h)に移って、アラーム（１系・２系異常）を出力して、制御は出力を停止する。ステータス(d)の状態で、１系の信号検知が異常を検出(1)すると、ステータス(h)に移って、アラーム（１系・２系異常）を出力して、制御は出力を停止する。ステータス(h)の状態で、外部制御(2)によって装置にリセットをかけることにより、ステータス(a)に戻る。
【００３９】
以上のことから、上記実施形態によれば、中継受信系統が複数ある場合に、各系統で異常を検出することが可能となるため、各系統の異常判定結果に基づいて適宜出力系統の状態遷移を制御することが可能となる。
【００４０】
尚、上記の実施形態では空間ダイバーシチシステムを例にして述べたが、現用系／予備系の切り替えシステムや、ルートダイバーシチシステムにも同様に適用することができる。また、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００４１】
【図１】本発明に係るＩＳＤＢ−Ｔ方式によるデジタル放送システムの一実施形態を示すブロック図。
【図２】図１に示す中継局装置において、放送ＴＳのＮＩＴパケットに放送局ＩＤがネットワーク識別情報として記述される場合の信号検知装置の具体的な構成を示すブロック図。
【図３】図１に示す中継局装置において、中継局リスト情報が、放送ＴＳにおけるＩＩＰのＮＳＩにequipment_idとして記述され、その放送ＴＳがＯＦＤＭ信号に変換される際に、ＮＳＩがＡＣ領域に乗せられている場合の信号検知装置の具体的な構成を示すブロック図。
【図４】上記実施形態の応用として、中継局装置Ｂが空間ダイバーシチ構成の１系と２系を備える場合に本発明を適用した場合の構成を示すブロック図。
【図５】図４に示す制御部の制御処理の流れを示すフローチャート。
【図６】図５に示す制御処理に基づく状態遷移の概要を示す図。
【符号の説明】
【００４２】
Ａ１…親局（放送局）装置、Ａ２…送信アンテナ、Ｂ…中継局装置、Ｂ１…受信アンテナ、Ｂ２…ヘッドアンプ（ＨＡ）、Ｂ３…基本装置、Ｂ４…電力増幅器、Ｂ５…送信アンテナ、Ｂ６，Ｂ６１，Ｂ６２…信号検知装置、Ｂ６１…周波数変換部、Ｂ６２…ＡＤ変換部、Ｂ６３…高速フーリエ変換部（ＦＦＴ）、Ｂ６４…誤り訂正部、Ｂ６５…ＮＩＴ検出部、Ｂ６６…放送局ＩＤ検出部、Ｂ６７…判定部、Ｂ６８…放送局ＩＤ設定部、Ｂ６９…ＡＣ検出部、Ｂ６１０…中継局ＩＤ検出部、Ｂ６１１…判定部、Ｂ７…切替装置、Ｂ８１，Ｂ８２…レベル検知装置、Ｂ９…制御部、Ｂ１０…ダミー装置。
【図１】
2008124934.tif 000003
【図２】
2008124934.tif 000004
【図３】
2008124934.tif 000005
【図４】
2008124934.tif 000006
【図５】
2008124934.tif 000007
【図６】
2008124934.tif 000008